(57)【要約】【課題】あらゆる形状および形態の一定量の餌を定時に自動的に供給可能な定時定量自動給餌装置を提供する。【解決手段】本発明に係る定時定量自動給餌装置は、回転軸と、この回転軸を回転させる回転駆動装置と、この回転駆動装置による前記回転軸の回転を制御する制御装置と、前記回転軸に固定されている第１の定量容器と、この第１の定量容器に隣接して前記回転軸に対して回転自在に取り付けられている少なくとも一つの第２の定量容器とを有し、前記第１の定量容器および前記第２の定量容器のそれぞれの側部に隣接の定量容器に直接または間接的に係止する係止アームが固定されていることを特徴とする。【選択図】        図１
2009148227.tif 000002
【特許請求の範囲】
【請求項１】
回転軸と、この回転軸を回転させる回転駆動装置と、この回転駆動装置による前記回転軸の回転を制御する制御装置と、前記回転軸に固定されている第１の定量容器と、この第１の定量容器に隣接して前記回転軸に対して回転自在に取り付けられている少なくとも一つの第２の定量容器とを有し、前記第１の定量容器および前記第２の定量容器のそれぞれの側部に隣接の定量容器に直接または間接的に係止する係止アームが固定されていることを特徴とする定時定量自動給餌装置。
【請求項２】
前記各定量容器の係止アームが前記回転軸の長手方向に沿って隣接の定量容器の一側端から他側端に到る長さを有することを特徴とする請求項１に記載の定時定量自動給餌装置。
【請求項３】
前記各定量容器の係止アームが、前記回転軸の長手方向に沿って隣接の定量容器の係止アームに重ね合うように当接する長さを有することを特徴とする請求項１に記載の定時定量自動給餌装置。
【請求項４】
前記第１の定量容器及び第２の定量容器の上部に開口部が形成されていることを特徴とする請求項１〜３のいずれか１項に記載の定時定量自動給餌装置。
【請求項５】
前記第１及び第２の定量容器の底面に孔が設けられ、この孔に容器内部に開く閉止弁が設けられていることを特徴とする請求項１〜４のいずれか１項に記載の定時定量自動給餌装置。
【請求項６】
前記第１及び第２の定量容器の上部開口部に容器外部に開く閉止弁が設けられていることを特徴とする請求項１〜５のいずれか１項に記載の定時定量自動給餌装置。
【請求項７】
前記第１及び第２の定量容器の上部開口部に容器内部の餌の排出量を制御する蓋状のアタッチメントが取り付けられていることを特徴とする請求項１〜５のいずれか１項に記載の定時定量自動給餌装置。
【請求項８】
前記第１及び第２の定量容器の内面に撥水性被膜が形成されていることを特徴とする請求項１〜７のいずれか１項に記載の定時定量自動給餌装置。
【発明の詳細な説明】
【技術分野】
【０００１】
本発明は、飼育動物に一定量の餌を定時に自動的に与えることのできる定時定量自動給餌装置に関するものである。
【背景技術】
【０００２】
実験動物は、実験に供するまでの間、あるいは長期観察実験中において、実験条件以外に関しては、実験動物に負荷を与えないように、適切な給餌が必要である。かかる実験動物への給餌は、従来、給餌そのものが制御すべき実験条件でない限り、給餌を自由に行っていた。そのため、飼育中の実験動物が、肥満や各種疾患に罹りやすく、そのため、実験動物の寿命が短くなるという問題が生じている。このような給餌形態に由来する問題は、実験動物を長期間に亘って実験に供する必要がある場合、実験動物を確保するためのコストを上昇させるばかりでなく、実験データの正確な取得が困難になるなどの深刻な状況をもたらすことになる。
【０００３】
このような問題を解決するには、給餌を適切に制限すれば良いのであるが、毎日一定量を測定し給餌することは、実験に従事する者にとって、大変手間と時間を要し、非能率である。
【０００４】
かかる給餌における問題は、実験動物において顕著であるが、対象が実験動物に限られるわけではなく、家庭で飼育しているペット動物に対する給餌においても、同様である。例えば、家族が家を留守にする必要が生じた場合でも、ペット動物への給餌ができなくなるため、ペット動物を飼育している家庭では、長期の留守は避けざるを得ない状況となる。
【０００５】
そこで、自動的に餌を与える自動給餌装置の開発が望まれるわけであり、従来、幾種類かの給餌機が提供されている。例えば、特許文献１には、モーターの回転により回転ドラム内の粉末餌を排出口より排出する構造の自動給餌機が開示されている。
【０００６】
また、特許文献２には、小動物の動作により回動して粉末飼料を下方に掻き出すことを意図した構造の粉末給餌器が開示されている。
【０００７】
【特許文献１】特許第３７９１８０９号明細書
【特許文献２】特開平０６−０７０６５６号公報
【発明の開示】
【発明が解決しようとする課題】
【０００８】
しかしながら、従来の自動給餌装置では、粉末や、粒状、球状などの供給操作に好適な形状の餌は扱うことはできるが、非球状の餌や、ビーフジャーキー、にぼし等の長辺：短辺比の高い形状的に長い干物は、回転移動させにくく、装置内のホッパー等の餌容器内から転がりでない、もしくは転がりでにくいため、円滑な給餌を行うことができない。さらに加えて、特許文献２の粉末給餌器では、餌は供給過多とならざるを得ず、無制限な給餌による問題を解決することはできない。また、従来開示の自動給餌装置では、液状の餌を自動的に供給することは検討されていない。
【０００９】
本発明は、上記従来の事情に鑑みてなされたものであって、その課題は、あらゆる形状および形態の一定量の餌を定時に自動的に供給可能な定時定量自動給餌装置を提供することにある。
【課題を解決するための手段】
【００１０】
上記課題を解決するために、本発明に係る定時定量自動給餌装置は、回転軸と、この回転軸を回転させる回転駆動装置と、この回転駆動装置による前記回転軸の回転を制御する制御装置と、前記回転軸に固定されている第１の定量容器と、この第１の定量容器に隣接して前記回転軸に対して回転自在に取り付けられている少なくとも一つの第２の定量容器とを有し、前記第１の定量容器および前記第２の定量容器のそれぞれの側部に隣接の定量容器に直接または間接的に係止する係止アームが固定されていることを特徴とする。
【００１１】
前記各定量容器の係止アームが前記回転軸の長手方向に沿って隣接の定量容器の一側端から他側端に到る長さを有していてもよい。
【００１２】
また、前記各定量容器の係止アームが、前記回転軸の長手方向に沿って隣接の定量容器の係止アームに重ね合うように当接する長さを有していてもよい。
【００１３】
前記第１の定量容器および第２の定量容器には、上部に開口部が形成されていることが好ましい。この開口部は、容器内部に貯留される餌の形状、形態に適した形状および寸法に形成される。
【００１４】
また、各定量容器の形状は、内部に収納する餌の形状、形態に応じて、底部から開口部に向かって拡径してもよいし、縮径してもよい。
【００１５】
また、各定量容器の底面に孔が設けられ、この孔に容器内部に開く閉止弁が設けられていても良い。
【００１６】
また、各定量容器の上部開口部に容器外部に開く閉止弁が設けられていても良い。
【００１７】
また、各定量容器の上部開口部に容器内部の餌の排出量を制御する蓋状のアタッチメントが取り付けられていても良い。
【００１８】
また、各定量容器の内面は撥水処理されていることが好ましい。
【００１９】
本発明にかかる上記構成の定時定量自動給餌装置の操作は、第１の定量容器に隣接して第２の定量容器を設け、この第２の定量容器を必要に応じて順次に隣接する複数個から構成し、全ての定量容器に定量の餌を充填しておき、所定時間経過毎に回転軸を一回転させる。装置の動作の開始時点で、各定量容器の係止アームは、隣接の定量容器に容器の回転方向の動作では係止しない配列にしておく。それにより、最初の一回転で回転軸に固定されている第１の定量容器のみが回転され、内部の餌が容器から排出されて定量給餌がなされる。この時点で、空になった第１の定量容器の係止アームが隣接の第２の定量容器に回転方向に関して係止する。したがって、次の一回転では、第１の定量容器と第２の定量容器とが一緒に回転し、第２の定量容器内の餌が排出されて定量給餌がなされる。この時点で、空になった最初の第２の定量容器の係止アームが次に隣接する他の第２の定量容器に係止する。したがって、さらに次の一回転では、空になった第１及び第２の定量容器と、２番目の第２の定量容器との３つの定量容器が、一緒に回転し、２番目の第２の定量容器の内部の餌が排出されて定量給餌がなされる。このように回転軸に固定されている第１の定量容器から始まって、順次に設置数だけの第２の定量容器が一つずつ一定時間毎に回転されるので、飼育動物に対して、定量の餌を定時毎に連続して自動的に給することができる。全数の定量容器が空になった時点で、初めて人手により全数の定量容器に餌を供給し、回転軸を前回と逆に一定の時間毎に一回転させる設定に切り替えることにより、前回と同様に一つずつの定量容器から一定の時間毎に、餌を排出して、定量給餌を実現することができる。
【００２０】
また、定量容器の形状は、自由に設定でき、その開口部の形状も大きさも自由に設定できるので、従来の粉体状、粒体状などの供給しやすい形状の餌ばかりでなく、ビーフジャーキーや煮干しなどの回転、回動させにくい長辺：短辺比の大きな形状の餌も容易に容器から排出できるので、それらの餌を用いた自動給餌も容易となる。
【００２１】
さらに、容器の開口部（排出口）の大きさを液体の定量流出が可能となる大きさに設定し、好ましくは、逆さにした時に容器の底部に開口が出現するように孔とそれを塞ぐ閉止弁とを設けておけば、液状の餌を定時に定量供給することも可能である。さらに液状の餌が高粘度なものである場合も、容器の内面を撥水性の高い材料にてコーティングしておくことにより容易に給餌することができる。
【００２２】
さらにまた、容器の材質は特に限定されず、一部もしくは全部を透明としてもよい。一部もしくは全部を透明とすることにより餌の充填の有無および容器内の餌の種類などを容易に確認可能となる。
【発明の効果】
【００２３】
本発明の定時定量自動給餌装置によれば、餌の形状に制限されることなく、確実に任意の餌を任意の一定量で、任意の一定時間に、かつ、それらを任意に組合せた任意の給餌内容にて餌を供給できる。
【発明を実施するための最良の形態】
【００２４】
以下に、本発明にかかる定時定量自動給餌装置の実施例を図面に基づいて詳細に説明する。なお、この実施例によりこの発明が限定されるものではない。
【実施例】
【００２５】
（実施例１）
図１は、本発明に係る定時定量自動給餌装置の一例を示す概略構成図である。本発明の定時定量自動給餌装置の一例は、図１に示すように、回転軸１と、この回転軸１を回転させるモータ（回転駆動装置）２と、このモータ２による前記回転軸１の回転を制御するコンピュータ装置（制御装置）３と、前記回転軸１に固定されている第１の定量容器４と、この第１の定量容器４に隣接して前記回転軸１に対して回転自在に取り付けられている一番目の第２の定量容器５と、この一番目の第２の定量容器５に隣接して前記回転軸１に対して回転自在に取り付けられている二番目の第２の定量容器６とを有しており、好ましくは、前記回転軸１の他端は軸受７によって軸支される。
【００２６】
各定量容器４，５，６の構成材料としては、特に限定されないが、回転軸１への取付が容易で、かつ軽量なものが好ましく、ステンレス鋼、ガラス、陶器、プラスチックなどの材料が挙げられ、軽量化の観点から薄肉軽量化の可能なステンレス鋼、プラスチック材料が好ましい。
【００２７】
上記構成の定時定量自動給餌装置に対して、図に示すように、飼育動物を収納する飼育ケース８を前記一連の定量容器４，５，６の下部に設置しても良いし、定時定量自動給餌装置全体を飼育ケース（不図示）内に設置するようにしても良い。
【００２８】
前記第１の定量容器４は、図２に示すように、上部に開口部４ａを有する有底の円筒状容器である。そして、その上部一側部において前記回転軸１に溶接などにより固定されており、その固定位置は、容器４の開口部４ａの中心と底部の中心を結ぶ中心線が回転軸１と直交するように設定されている。また、この第１の定量容器４の他の側部には前記回転軸１の長手方向に沿って隣接する前記一番目の第２の定量容器５の一側端から他側端に到る長さの係止アーム４ｂが固定されている。この係止アーム４ｂは、この例では、Ｔ字形の棒部材である。この係止アーム４ｂが固定される定量容器４の他の側部の位置とは、この定量容器４の、前記回転軸１の固定位置から９０度ずれた側部の下部である。その結果、係止アーム４ｂは、回転軸１とほぼ並行に回転軸１の長手方向に伸び、隣接の第２の定量容器５の側部に当接する。
【００２９】
前記一番目の第２の定量容器５は、図３に示すように、前記第１の定量容器４と同形同寸法の有底の円筒状容器である。そして、その上部一側面において前記回転軸１に軸受または軸受様部材５ｃにより回転自在に取り付けられており、その固定位置は、容器５の開口部５ａの中心と底部の中心を結ぶ中心線が回転軸１と直交するように設定されている。また、前記第１の定量容器４と同様に、この一番目の第２の定量容器５の他の側部には前記回転軸１の長手方向に沿って隣接する二番目の第２の定量容器６の一側端から他側端に到る長さの係止アーム５ｂが固定されている。
【００３０】
前記２番目の第２の定量容器６は、前記一番目の第２の定量容器５と同形同寸法であり、回転軸１への回転自在な取り付け構造も同様である。この実施例１の場合では、第２の定量容器を２つ設ける場合を示しているが、さらに三番目、四番目の第２の定量容器を設けても良く、その場合は、二番目の定量容器６にも、三番目の定量容器にも、前記一番目の定量容器５の場合と同様に、係止アームが同様の形状および取り付け位置にて固定される。
【００３１】
次に、前記構成の定時定量自動給餌装置の動作を、図４〜図７の一連の装置模式図を参照して、説明する。
まず、図４に示すように、第１の定量容器４に隣接して一番目の第２の定量容器５を設け、さらにこの一番目の第２の定量容器５に隣接して２番目の第２の定量容器６を設ける。そして、全ての定量容器４，５，６に定量の餌を充填しておき、所定時間経過毎に回転軸を一回転させる。装置の動作の開始時点で、各定量容器４および５の係止アーム４ａおよび５ｂは、それぞれの隣接の定量容器５および６に容器の回転方向の動作では係止しない配列にしておく。
【００３２】
図５に示すように、最初の一回転で回転軸１に固定されている第１の定量容器４のみが回転され、内部の餌１０が容器４から排出されて定量給餌がなされる。
【００３３】
図６に示すように、前記最初の一回転が完了した時点では、空になった第１の定量容器４の係止アーム４ｂが隣接の一番目の第２の定量容器５の側部に回転方向に関して係止する。
【００３４】
次に、図７に示すように、所定の時間を置いた二回目の回転では、第１の定量容器４と一番目の第２の定量容器５とが一緒に回転し、一番目の第２の定量容器５内の餌１０が排出されて定量給餌がなされる。
【００３５】
次に、前述のように、前記最初の一回転が完了した時点では、前記工程と同様に、空になった一番目の第２の定量容器５の係止アーム５ｂが次に隣接する２番目の第２の定量容器６の側部に係止する（不図示）。したがって、さらに次の一定時間後の３回目の一回転では、空になった第１及び第２の定量容器４，５と、２番目の第２の定量容器６とが、一緒に回転し、第２の定量容器６の内部の餌が排出されて定量給餌がなされる。
【００３６】
このように回転軸１に固定されている第１の定量容器４から始まって、順次に設置数だけの第２の定量容器５，６が一つずつ一定時間毎に回転されるので、飼育動物に対して、定量の餌を定時毎に連続して自動的に給することができる。
【００３７】
上述のようにして全数の定量容器４，５，６が空になった時点で、初めて人手により全数の定量容器４，５，６に餌を供給し、コンピュータ（制御装置）３の内蔵プログラムに基づいて、モータ（回転駆動装置）２に指令を送り、回転軸１を前回と逆に一定の時間毎に一回転させる設定に切り替えることにより、前回と同様に一つずつの定量容器４，５，６から一定の時間毎に、餌を排出して、定量給餌を実現することができる。
【００３８】
以上の運転サイクルを繰り返すことにより、任意の所望な期間に亘って、飼育動物に所望の時間置きに所定量の餌を自動的かつ継続的に給することができる。
【００３９】
前記コンピュータ３及びモータ２による回転軸１の一回転は、容器内に収納する餌の形状及び形態に応じて、全工程等速、等速−停止−等速、高速−低速−高速など種々の速度及び停止状態の組み合わせ、及びこれらの逆回転にて構成される。
【００４０】
（実施例２）
図８に、本発明に係る定時定量自動給餌装置の第２の実施例の概略構成図を示す。この実施例の特徴は、各定量容器４，５，６に設けられる係止アームが、図に示すように、互いに当接し、係止状態になる板状の係止アーム４０ｂ、５０ｂ−１、５０ｂ−２、６０ｂとなっている点にあり、その他の構成、形状は、前記第１の実施例と同様である。第１の定量容器４には、一つの板状の係止アーム４０ｂが取り付けられ、一番目の第２の定量容器５には、前記第１の定量容器４の係止アーム４０ｂと重ね合うように当接する板状の係止アーム５０ｂ−１が設けられるとともに、その反対側の側面に板状の係止アーム５０ｂ−２が設けられている。そして、二番目の第２の定量容器６には、前記一番目の第２の定量容器５の係止アーム５０ｂ−２と重ね合うように当接する板状の係止アーム５０ｂが設けられている。なお、この実施例では、各係止アームを、各定量容器の回転に伴って互いに重なり合って当接するのに好適な板状に形成したが、互いに重なり合って当接できるのであれば、板状に限らず、棒状、その他の形状であっても良い。
【００４１】
前記形状、取り付け構造の係止アームに変更することによっても、前記第１の実施例の場合と同様に、同様の運転サイクルを繰り返すことにより、任意の所望な期間に亘って、飼育動物に所望の時間置きに所定量の餌を自動的かつ継続的に給することができる。
【００４２】
以下に示す実施例３〜８は、定量容器の形状に関する変形例であり、定量容器についてのみ図示及び説明を行い、他の構造は前記実施例１又は実施例２と同様であって良いので、その他の構造部分の説明を省略する。
【００４３】
（実施例３）
図９に示すように、この実施例３では、各定量容器２０は、上部がテーパー状に縮径して開口部２０ａが小さくなっている。このように開口部２０ａの口径を、例えば、５ｍｍ〜１５ｍｍ程度の小さい寸法に設定することにより、粉状、粒状の餌１１を飛散させることなく、排出でき、装置下部に設置する餌受け容器に的確に収めることが可能になる。
【００４４】
（実施例４）
図１０に示すように、この実施例４では、各定量容器３０は、底部から上部に向かってテーパー状に拡径して開口部３０ａが広口になっている。このように開口部３０ａの口径を、例えば、５０ｍｍ以上の大きな寸法に設定することにより、煮干し、ビーフジャーキーなどの長辺：短辺比の高い長さのある形状の餌１２を定量容器３０から容易に排出できる。
【００４５】
（実施例５）
図１１に示すように、この実施例５の特徴は、長さのある形状の餌１２に好適な定量容器３０を回転軸から取り外すことなく、粉末状または粒状の餌１１の供給も容易とするための蓋状のアタッチメント４０を取り付ける構成にある。このアタッチメント４０は、定量容器３０の上部開口部３０ａに着脱自在に嵌着又は螺合可能であり、その開口部４０ａに向かって徐々に縮径し、開口部４０ａは、例えば、口径が５ｍｍ〜１５ｍｍ程度の小さい寸法に設定されている。かかる形状のアタッチメント４０を用いることにより回転軸１に取り付けられた広口の容器３０を前記実施例３の定量容器２０に交換することなく、粉状、粒状の餌１１を的確に排出することが可能になる。
【００４６】
（実施例６）
図１２に示すように、この実施例６の特徴は、定量容器５０の底面に孔６０が設けられ、この孔６０に容器５０内部に開く閉止弁６１が設けられている点にある。かかる構成の定量容器５０の上部開口部５０ａを液体の定量排出が実現される程度の小さな口径に形成することにより、図１３に示すように、回転軸を回転して、定量容器５０を転倒位置に置くと、閉止弁６１が開き、容器５０の内部に空気が入り、下方に位置する開口部５０ａから液状の餌１３を飛散させることなく、排出でき、装置下部に設置する餌受け容器に的確に収めることが可能になる。
【００４７】
（実施例７）
図１４に示すように、この実施例７の特徴は、定量容器７０の上部開口部７０ａに容器外部に開く閉止弁７１が設けられている点にある。定量容器７０の上部開口部７０ａに容器外部に開く閉止弁７１が設けることにより、容器７０の内部に収納する餌が乾燥を嫌うものであったり、埃などの浸入を避ける必要があるものである場合において、所望の目的を達することができる。
【００４８】
（実施例８）
図１５に示すように、この実施例８の特徴は、定量容器８０が透明材料から構成されている点にある。透明材料としては透明プラスチック、透明ガラスなどが上げられるが、回転軸により回転させる構造であるため、より軽量なプラスチック材料を用いることが好ましい。なお、この実施例８では、定量容器８０を全て透明材料から構成したが、一部を透明材料から構成するようにしても良い。また、透明部分に内部の容積を表示する目盛りを刻設してもよい。
【００４９】
（実施例９）
図１６に示すように、この実施例９の特徴は、定量容器９０の内面が撥水性の被膜９１によりコーティングされている点にある。液状の餌が高粘度なものである場合も、容器９０の内面が撥水性の被膜に覆われていれば、容器９０からの粘性の高い餌の離れが向上され、粘性の高い餌を与える場合にも、容易に給餌することができる。
【産業上の利用可能性】
【００５０】
以上のように、本発明にかかる定時定量自動給餌装置は、餌の形状に制限されることなく、確実に任意の餌を任意の一定量で、任意の一定時間に、かつ、それらを任意に組合せた任意の給餌内容にて餌を供給できる。したがって、本発明の定時定量自動給餌装置を用いることにより、実験動物やペット動物などの飼育動物への給餌を健康の維持に好適な定時定量という条件を満たしつつ、人手を煩わせなく、長期に亘って、継続的に実現することができる。本発明の定時定量自動給餌装置は、特に、実験動物への給餌に用いる給餌装置に好適である。
【図面の簡単な説明】
【００５１】
【図１】本発明に係る定時定量自動給餌装置の第１の実施例を示す装置の概略全体構成図である。
【図２】図１に示した定時定量自動給餌装置に用いられている第１の定量容器の斜視図である。
【図３】図１に示した定時定量自動給餌装置に用いられている第２の定量容器の斜視図である。
【図４】図１に示した定時定量自動給餌装置の動作を説明するための図であって、装置の各構成要素の初期配置を示す装置の模式的斜視図である。
【図５】図１に示した定時定量自動給餌装置の動作を説明するための図であって、装置の最初の回転動作中の装置の模式的斜視図である。
【図６】図１に示した定時定量自動給餌装置の動作を説明するための図であって、装置の最初の回転動作が完了した時点の装置の模式的斜視図である。
【図７】図１に示した定時定量自動給餌装置の動作を説明するための図であって、装置の駆動後二回目の回転動作中の装置の模式的斜視図である。
【図８】本発明に係る定時定量自動給餌装置の第２の実施例を示す装置の模式的斜視図である。
【図９】本発明の定時定量自動給餌装置に用いられる定量容器の変形例を示す本発明の第３の実施例を説明するための、定量容器の断面構成図である。
【図１０】本発明の定時定量自動給餌装置に用いられる定量容器の他の変形例を示す本発明の第４の実施例を説明するための、定量容器の断面構成図である。
【図１１】本発明の定時定量自動給餌装置に用いられる定量容器の他の変形例を示す本発明の第５の実施例を説明するための、定量容器の断面構成図である。
【図１２】本発明の定時定量自動給餌装置に用いられる定量容器の他の変形例を示す本発明の第６の実施例を説明するための、定量容器の断面構成図である。
【図１３】図１２に示す定量容器が転倒された状態を示す断面構成図である。
【図１４】本発明の定時定量自動給餌装置に用いられる定量容器の他の変形例を示す本発明の第７の実施例を説明するための、定量容器の断面構成図である。
【図１５】本発明の定時定量自動給餌装置に用いられる定量容器の他の変形例を示す本発明の第８の実施例を説明するための、定量容器の断面構成図である。
【図１６】本発明の定時定量自動給餌装置に用いられる定量容器の他の変形例を示す本発明の第９の実施例を説明するための、定量容器の断面構成図である。
【符号の説明】
【００５２】
１    回転軸
２    モータ（回転駆動装置）
３    コンピュータ装置（制御装置）
４    第１の定量容器
４ａ  開口部
４ｂ  係止アーム
５    一番目の第２の定量容器
５ａ  開口部
５ｂ  係止アーム
５ｃ  軸受または軸受様部材
６    二番目の第２の定量容器
７    軸受
８    飼育ケース
１０  餌
１１  粉状、粒状の餌
１２  長辺：短辺比の高い長さのある形状の餌
１３  液状の餌
４０ｂ、５０ｂ−１、５０ｂ−２、６０ｂ  板状の係止アーム
２０、３０、５０、７０、８０、９０      定量容器
２０ａ、３０ａ  開口部
４０  蓋状のアタッチメント
４０ａ、５０ａ，７０ａ  開口部
６０  孔
６１  閉止弁
７１  閉止弁
９１  撥水性の被膜
【図１】
2009148227.tif 000003
【図２】
2009148227.tif 000004
【図３】
2009148227.tif 000005
【図４】
2009148227.tif 000006
【図５】
2009148227.tif 000007
【図６】
2009148227.tif 000008
【図７】
2009148227.tif 000009
【図８】
2009148227.tif 000010
【図９】
2009148227.tif 000011
【図１０】
2009148227.tif 000012
【図１１】
2009148227.tif 000013
【図１２】
2009148227.tif 000014
【図１３】
2009148227.tif 000015
【図１４】
2009148227.tif 000016
【図１５】
2009148227.tif 000017
【図１６】
2009148227.tif 000018